(57)【要約】【課題】  本発明は、外部装置に映像データが送信されている場合、自動的に映像データの送信が停止されないようにすることを目的とする。【解決手段】  電子機器であって、外部装置に所定のデータを送信する送信手段と、前記電子機器に所定の指示を行うための指示手段と、前記所定の指示が入力されるまでに経過した所定の時間が第１の時間以上である場合、前記電子機器をスタンバイモードに変更する制御手段とを有し、前記所定のデータが前記外部装置に送信されている場合、前記制御手段は、前記所定の時間が前記第１の時間以上であっても、前記電子機器をスタンバイモードに変更しないことを特徴とする。【選択図】  図１
2013198096.tif 000002
【特許請求の範囲】
【請求項１】
電子機器であって、
外部装置に所定のデータを送信する送信手段と、
前記電子機器に所定の指示を行うための指示手段と、
前記所定の指示が入力されるまでに経過した所定の時間が第１の時間以上である場合、前記電子機器をスタンバイモードに変更する制御手段とを有し、
前記所定のデータが前記外部装置に送信されている場合、前記制御手段は、前記所定の時間が前記第１の時間以上であっても、前記電子機器をスタンバイモードに変更しないことを特徴とする電子機器。
【請求項２】
前記所定のデータが前記外部装置に送信されている場合、前記所定の時間が第２の時間以上である場合、前記制御手段は前記電子機器をスタンバイモードに変更し、
前記第２の時間は、前記第１の時間よりも長いことを特徴とする請求項１に記載の電子機器。
【請求項３】
前記外部装置が、前記送信手段によって送信される前記所定のデータを記録している場合、前記制御手段は、前記所定の時間が前記第１の時間以上であっても、前記電子機器をスタンバイモードに変更しないことを特徴とする請求項１または２に記載の電子機器。
【請求項４】
電子機器を制御する方法であって、
外部装置に所定のデータを送信するステップと、
指示手段を介して所定の指示が入力されるまでに経過した所定の時間が第１の時間以上である場合、前記電子機器をスタンバイモードに変更するステップと、
前記所定のデータが前記外部装置に送信されている場合、前記所定の時間が前記第１の時間以上であっても、前記電子機器をスタンバイモードに変更しないステップとを有することを特徴とする方法。
【請求項５】
コンピュータを請求項１から３のいずれか１項に記載の電子機器として機能させるためのプログラム。
【発明の詳細な説明】
【技術分野】
【０００１】
本発明は、外部に映像データを送信する電子機器に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、映像データをＨＤＭＩインターフェースを介して送信することができる。シンク装置は、ソース装置からの映像データをＨＤＭＩインターフェースを介して受信し、受信した映像データを表示器に表示することができる。
【０００３】
従来、シンク装置の解像度の情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。このソース装置は、シンク装置から取得したＥＤＩＤを用いてシンク装置に送信するためのデータを生成する。
【先行技術文献】
【特許文献】
【０００４】
【特許文献１】特開２００９−７７３４７号公報
【発明の概要】
【発明が解決しようとする課題】
【０００５】
ソース装置がシンク装置に映像データを送信している場合において、所定の期間、ソース装置に対してユーザからの操作が行われなかったとき、ソース装置は、自動的にスタンバイモードになる場合がある。ソース装置がスタンバイモードになった場合、ソース装置によっては、シンク装置への映像データの送信を停止してしまう事態が発生してしまう。この場合、ユーザがソース装置から供給される映像データをシンク装置で視聴している場合、映像データの視聴を停止する操作をソース装置やシンク装置に対して行っていない場合であっても、シンク装置での映像データの視聴が中断されてしまう。
【０００６】
このような事態を防ぐため、本発明は、外部装置に映像データが送信されている場合、自動的に映像データの送信が停止されないようにすることを目的とする。
【課題を解決するための手段】
【０００７】
本発明に係る電子機器は、電子機器であって、外部装置に所定のデータを送信する送信手段と、前記電子機器に所定の指示を行うための指示手段と、前記所定の指示が入力されるまでに経過した所定の時間が第１の時間以上である場合、前記電子機器をスタンバイモードに変更する制御手段とを有し、前記所定のデータが前記外部装置に送信されている場合、前記制御手段は、前記所定の時間が前記第１の時間以上であっても、前記電子機器をスタンバイモードに変更しないことを特徴とする。
【０００８】
また、本発明に係る方法は、電子機器を制御する方法であって、外部装置に所定のデータを送信するステップと、指示手段を介して所定の指示が入力されるまでに経過した所定の時間が第１の時間以上である場合、前記電子機器をスタンバイモードに変更するステップと、前記所定のデータが前記外部装置に送信されている場合、前記所定の時間が前記第１の時間以上であっても、前記電子機器をスタンバイモードに変更しないステップとを有することを特徴とする。
【発明の効果】
【０００９】
本発明によれば、外部装置に映像データが送信されている場合、自動的に映像データの送信が停止されないようにすることができる。
【図面の簡単な説明】
【００１０】
【図１】実施例１及び２に係る通信システムの一例を示すブロック図である。
【図２】実施例１に係る電子機器によって行われる電源制御処理の一例を示すフローチャートである。
【図３】実施例２に係る電子機器によって行われる電源制御処理の一例を示すフローチャートである。
【発明を実施するための形態】
【００１１】
以下、本発明の実施例の説明は図面を参照しながら行う。ただし、以下の実施例はあくまでも一例であって、本発明は以下の実施例に限定されるものではない。
【００１２】
［実施例１］
実施例１に係る通信システムは、図１に示すように、電子機器１００と外部装置２００とが、接続ケーブル３００を介して通信可能に接続されている。電子機器１００及び外部装置２００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。
【００１３】
なお、実施例１において、接続ケーブル３００は、ＨＤＭＩ規格に対応する通信インターフェースである。
【００１４】
接続ケーブル３００には、ＤＤＣ（Ｄｉｓｐｌａｙ  Ｄａｔａ  Ｃｈａｎｎｅｌ）ライン３０１及びＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）ライン３０２が含まれている。さらに、接続ケーブル３００には、ＣＥＣ（Ｃｏｎｓｕｍｅｒ  Ｅｌｅｃｔｒｏｎｉｃｓ  Ｃｏｎｔｒｏｌ）ライン３０３が含まれている。
【００１５】
なお、電子機器１００は、デジタル一眼レフカメラ、デジタルスチルカメラやデジタルビデオカメラ等の撮像デバイスであっても良く、携帯電話やスマートフォン等のデバイスであってもよい。また、外部装置２００は、テレビ、パーソナルコンピュータやプロジェクタ等のデバイスであってもよく、表示デバイスであっても良い。
【００１６】
次に、電子機器１００について説明する。電子機器１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７、操作部１０８及び電源部１０９を有する。
【００１７】
ＣＰＵ１０１は、メモリ１０２に格納されているコンピュータプログラムに従って、電子機器１００の動作を制御する。ＣＰＵ１０１は、外部装置２００から取得した外部装置２００のデバイス情報を解析することにより、外部装置の２００の画像表示能力及び音声処理能力を知ることができる。外部装置２００のデバイス情報とは、外部装置２００に記録されているＥＤＩＤ（Ｅｘｔｅｎｄｅｄ  ｄｉｓｐｌａｙ  ｉｄｅｎｔｉｆｉｃａｔｉｏｎ  ｄａｔａ）またはＥ−ＥＤＩＤ（Ｅｎｈａｎｃｅｄ  ＥＤＩＤ）である。ＥＤＩＤ及びＥ−ＥＤＩＤはいずれも、外部装置２００の識別情報、外部装置２００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、外部装置２００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００１８】
外部装置２００から接続ケーブル３００を介して、ＥＤＩＤを取得した電子機器１００は、ＤＤＣライン３０１を介して取得したＥＤＩＤを解析する。電子機器１００は、ＥＤＩＤの解析結果から外部装置２００の画像表示能力、音声処理能力などを知ることができる。さらに、電子機器１００は、外部装置２００の画像表示能力及び音声処理能力に適した映像データ及び音声データを生成することができる。
【００１９】
また、ＣＰＵ１０１は、タイマー１０１ａを有する。タイマー１０１ａは、電子機器１００によって行われる処理や動作に対する時間を計測する。なお、タイマー１０１ａによって記録される時間を示す情報は、メモリ１０２に記録される。
【００２０】
メモリ１０２は、ＣＰＵ１０１のワークエリアとして機能する。メモリ１０２には、外部装置２００から取得したＥＤＩＤ、電子機器１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００２１】
通信部１０３は、接続ケーブル３００を接続するための接続端子（コネクタ）を有する。通信部１０３は、ＤＤＣライン３０１を介して外部装置２００からＥＤＩＤを取得する。外部装置２００から取得されたＥＤＩＤは、ＣＰＵ１０１に供給される。
【００２２】
さらに、通信部１０３は、データ送信部１０３ａ及びコマンド処理部１０３ｂを有する。
【００２３】
データ送信部１０３ａは、外部装置２００の画像表示能力に適した映像データ、外部装置２００の音声処理能力に適した音声データ及び補助データを、ＴＭＤＳライン３０２を介して外部装置２００に送信する。データ送信部１０３ａによって外部装置２００に送信される映像データ及び音声データは、外部装置２００から取得されるＥＤＩＤに応じて生成される。
【００２４】
電子機器１００が撮影モードである場合、撮像部１０４により生成され、かつ、画像処理部１０５により画像処理が行われた映像データがデータ送信部１０３ａによって外部装置２００に送信される。この場合、不図示のマイクロフォンによって生成された音声データも映像データとともにデータ送信部１０３ａによって外部装置２００に送信される。
【００２５】
電子機器１００が再生モードである場合、記録部１０６により記録媒体１０６ａから読み出され、かつ、画像処理部１０５により画像処理が行われた映像データがデータ送信部１０３ａによって外部装置２００に送信される。この場合、記録部１０６により記録媒体１０６ａから読み出された音声データも映像データとともにデータ送信部１０３ａによって外部装置２００に送信される。
【００２６】
電子機器１００は、撮影モードであり、かつ、所定の通信モードである場合、スルー映像データを外部に送信する。なお、スルー映像データとは、撮像部１０４によるライブビュー撮影によって生成され、かつ、画像処理部１０５による画像処理が行われた映像データを含む。また、スルー映像データは、レリーズの指示が電子機器１００に行われる前に、撮像部１０４及び画像処理部１０５によって生成される映像データを含む。また、スルー映像データは、撮像部１０４及び画像処理部１０５によって生成される映像データを記録媒体１０６ａに記録させるための指示が電子機器１００に行われる前に、撮像部１０４及び画像処理部１０５によって生成される映像データを含む。
【００２７】
なお、この場合、データ送信部１０３ａによってスルー映像データとともに音声データが外部装置２００に送信されてもよい。なお、データ送信部１０３ａによって送信されるスルー映像データには、撮影に関する情報や電子機器１００に関する情報等の補助データが重畳されないようにする。なお、撮影に関する情報には、撮影の設定を示す情報、映像データの画質を示す情報、撮影日時を示す情報、撮影地点を示す情報、オートフォーカスに関する情報、自動露出に関する情報、シャッタースピードに関する情報等が含まれる。電子機器１００に関する情報には、電子機器１００のモードを示す情報、電子機器１００の識別情報、電子機器１００に接続される不図示の電池の残量を示す情報、記録媒体１０６ａの残量を示す情報等が含まれる。
【００２８】
コマンド処理部１０３ｂは、ＣＥＣライン３０３を介して接続される外部装置２００に、ＣＥＣプロトコルに対応するコマンドを送信することができる。さらに、コマンド処理部１０３ｂは、ＣＥＣライン３０３を介して接続される外部装置２００からＣＥＣプロトコルに対応するコマンドを受信することができる。
【００２９】
なお、コマンド処理部１０３ｂは、外部装置２００から受信したコマンドをＣＰＵ１０１に供給することができる。ＣＰＵ１０１は、コマンド処理部１０３ｂから供給されるコマンドを解析し、その解析結果に応じて、電子機器１００を制御する。
【００３０】
なお、外部装置２００に送信するコマンドは、ＣＰＵ１０１によって生成される。ＣＰＵ１０１は、コマンド処理部１０３ｂから供給されるコマンドを解析し、その解析結果に応じて、電子機器１００を制御する。
【００３１】
撮像部１０４は、不図示のレンズユニットを介して入射した被写体の光学像から静止画データや動画データ等の映像データを生成する。撮像部１０４によって生成された映像データは、画像処理部１０５に供給される。
【００３２】
画像処理部１０５は、撮像部１０４、メモリ１０２及び記録部１０６のいずれか一つから供給される映像データに画素補間処理や色変換処理等の画像処理を行う。さらに、画像処理部１０５は、適応離散コサイン変換（ＡＤＣＴ）等により映像データを圧縮し、圧縮された映像データを伸長する圧縮伸長手段を有する。なお、映像データを圧縮する方式として、ＪＰＥＧ方式、ＭＰＥＧ方式、ＲＡＷ方式等が挙げられる。撮像部１０４、メモリ１０２及び記録部１０６のいずれか一つから供給される映像データは、圧縮伸長手段によって、圧縮処理または伸長処理が行われ、記録部１０６及び通信部１０３のいずれか一つに出力される。
【００３３】
また、画像処理部１０５は、外部装置２００から取得したＥＤＩＤに基づいて、撮像部１０４、メモリ１０２及び記録部１０６のいずれか一つから供給された映像データから外部装置２００の画像表示能力に適した映像データを生成する。この場合、画像処理部１０５は、ＥＤＩＤに基づいて生成した映像データを通信部１０３及び記録部１０６の少なくとも一つに供給する。
【００３４】
記録部１０６は、撮像部１０４によって生成され、画像処理部１０５によって画像処理が行われた映像データを記録媒体１０６ａに記録する。さらに、記録部１０６は、不図示のマイクロフォン部によって生成された音声データを記録媒体１０６ａに記録する。また、記録部１０６は、記録媒体１０６ａに記録されている映像データ及び音声データの少なくとも一つを記録媒体１０６ａから読み出す。記録部１０６によって記録媒体１０６ａから読み出された映像データは画像処理部１０５に供給される。
【００３５】
記録媒体１０６ａは、電子機器１００に内蔵されているメモリあってもよく、電子機器１００に着脱可能な外部メモリであってもよい。また、記録媒体１０６ａは、メモリカードであってもよく、ハードディスクドライブであってもよい。
【００３６】
表示部１０７は、液晶ディスプレイなどの表示器により構成される。表示部１０７は、電子機器１００が撮影モードである場合、撮像部１０４によって生成された映像データを表示する。また、電子機器１００が再生モードである場合、表示部１０７は、記録媒体１０６ａから読み出された映像データを表示する。
【００３７】
操作部１０８は、電子機器１００を操作するためのユーザインターフェースを提供する。操作部１０８は、電子機器１００を操作するための電源ボタン、モード変更ボタン、シャッターボタン、十字ボタン、メニューボタン等を有し、各ボタンはスイッチ、タッチパネル等により構成される。ＣＰＵ１０１は、操作部１０８を介して入力されたユーザの指示に従って電子機器１００を制御することができる。ユーザによって操作部１０８のボタンが操作された場合、操作部１０８から各ボタンに応じた操作信号がＣＰＵ１０１に入力される。ＣＰＵ１０１は操作部１０８から入力された操作信号を解析し、解析結果に応じて操作信号に対応した処理を判定する。ＣＰＵ１０１は、操作部１０８から入力された操作信号に対応した処理を実行するように電子機器１００を制御する。
【００３８】
ユーザは、操作部１０８を用いて、電子機器１００を撮影モード及び再生モードのいずれか一つに設定することができる。なお、電子機器１００が撮影モードである場合、ユーザは、操作部１０８を用いて、電子機器１００を所定の通信モードに設定するか否かを選択することができる。
【００３９】
電源部１０９は、電子機器１００に電力を供給する。電源部１０９は、不図示の商用電源、不図示の電池及び不図示の装置の少なくとも一つから供給される電力を電子機器１００の各部に供給する。電子機器１００が電源オンモードである場合、電源部１０９は、少なくともＣＰＵ１０１、メモリ１０２、通信部１０３、撮像部１０４、画像処理部１０５、記録部１０６及び表示部１０７に電力を供給する。電子機器１００がスタンバイモードである場合、電源部１０９は、少なくともＣＰＵ１０１及びメモリ１０２に電力を供給する。スタンバイモードは、電源オンモードよりも電子機器１００の消費電力が低くなるモードである。なお、スタンバイモードを、「パワーセーブモード」、「省電モード」、「省電力モード」、「低消費電力モード」や「低電力モード」と言い換えてもよいものとする。
【００４０】
電子機器１００によって送信された映像データは、ＴＭＤＳライン３０２を介して外部装置２００に供給される。なお、電子機器１００によって送信された音声データ及び補助データも、電子機器１００によって送信された映像データと同様に外部装置２００に供給される。
【００４１】
次に、外部装置２００について説明する。外部装置２００は、電子機器１００から受信した映像データを不図示のディスプレイに表示し、電子機器１００から受信した音声データを不図示のスピーカから出力する。外部装置２００は、ＥＤＩＤを記録する。さらに、外部装置２００は、外部装置２００の表示設定が変更された場合、変更された後の表示設定に応じて、ＥＤＩＤに含まれる情報を書き換える。
【００４２】
次に、図２を参照して、実施例１に係る電子機器１００で行われる電源制御処理について説明する。なお、電源制御処理は、電子機器１００と外部装置２００とが接続ケーブル３００を介して接続される場合に実行される。実施例１において、ＣＰＵ１０１は、メモリ１０２に格納されているコンピュータプログラムに従って、電源制御処理を行う。なお、図２の電源制御処理は、電子機器１００がオートパワーオフ処理を行うように設定されている場合に電子機器１００によって行われる処理である。なお、オートパワーオフ処理とは、特定の時間が経過するまでの間、電子機器２００が操作されなかった場合、自動的に電子機器２００を電源オンモードからスタンバイモードに変更する処理である。
【００４３】
Ｓ２０１において、ＣＰＵ１０１は、電子機器１００が電源オンモードであるか否かを判定する。ＣＰＵ１０１によって電子機器１００が電源オンモードであると判定された場合（Ｓ２０１でＹｅｓ）、本フローチャートは、Ｓ２０１からＳ２０２に進む。ＣＰＵ１０１によって電子機器１００が電源オンモードでないと判定された場合（Ｓ２０１でＮｏ）、本フローチャートは終了する。なお、ＣＰＵ１０１により、電子機器１００がスタンバイモードから電源オンモードに移行していると判定された場合も、電子機器１００が電源オンモードであると判定された場合（Ｓ２０１でＹｅｓ）と同様に、本フローチャートは、Ｓ２０１からＳ２０２に進む。
【００４４】
Ｓ２０２において、ＣＰＵ１０１は、タイマー１０１ａをリセットするための処理を行う。この場合、ＣＰＵ１０１は、時間の計測を停止するようにタイマー１０１ａを制御する。さらに、ＣＰＵ１０１は、タイマー１０１ａによって記録されている時間を示す情報をメモリ１０２から消去するようにする。この場合、本フローチャートは、Ｓ２０２からＳ２０３に進む。
【００４５】
Ｓ２０３において、ＣＰＵ１０１は、所定の時間を計測するようにタイマー１０１ａを制御する。所定の時間とは、電子機器１００が電源オンモードである場合に、操作部１０８を介して操作信号がＣＰＵ１０１に入力されるまでにかかる時間を示す。タイマー１０１ａによって計測される所定の時間を示す情報は、メモリ１０２に記録される。この場合、本フローチャートは、Ｓ２０３からＳ２０４に進む。
【００４６】
Ｓ２０４において、ＣＰＵ１０１は、操作部１０８を介してＣＰＵ１０１に操作信号が入力されたか否かを判定する。ＣＰＵ１０１によって、操作部１０８を介してＣＰＵ１０１に操作信号が入力されたと判定された場合（Ｓ２０４でＹｅｓ）、本フローチャートは、Ｓ２０４からＳ２１５に進む。ＣＰＵ１０１によって、操作部１０８を介してＣＰＵ１０１に操作信号が入力されていないと判定された場合（Ｓ２０４でＮｏ）、本フローチャートは、Ｓ２０４からＳ２０５に進む。
【００４７】
Ｓ２０５において、ＣＰＵ１０１は、タイマー１０１ａによって計測されている所定の時間が第１の時間Ｔ１以上であるか否かを判定する。第１の時間Ｔ１は、自動的に電子機器１００を電源オンモードからスタンバイモードに変更するように制御するために用いられる閾値である。第１の時間Ｔ１は、あらかじめ設定されているものであっても良いし、ユーザが操作部１０８を用いて設定することができるようなものであってもよい。
【００４８】
ＣＰＵ１０１によって、所定の時間が第１の時間Ｔ１以上であると判定された場合（Ｓ２０５でＹｅｓ）、本フローチャートは、Ｓ２０５からＳ２０６に進む。ＣＰＵ１０１によって、所定の時間が第１の時間Ｔ１以上でないと判定された場合（Ｓ２０５でＮｏ）、本フローチャートは、Ｓ２０５からＳ２０３に戻る。
【００４９】
Ｓ２０６において、ＣＰＵ１０１は、データ送信部１０３ａがスルー映像データを外部に送信しているか否かを判定する。ＣＰＵ１０１によって、データ送信部１０３ａが外部にスルー映像データを送信していると判定された場合（Ｓ２０６でＹｅｓ）、本フローチャートは、Ｓ２０６からＳ２０７に進む。ＣＰＵ１０１によって、データ送信部１０３ａが外部にスルー映像データを送信していないと判定された場合（Ｓ２０６でＮｏ）、本フローチャートは、Ｓ２０６からＳ２１６に進む。
【００５０】
Ｓ２０７において、ＣＰＵ１０１は、オートパワーオフ処理を行うように設定されていることを通知する。ＣＰＵ１０１は、外部装置２００に送信されるスルー映像データに、オートパワーオフ処理を行うように設定されていることを示すデータが重畳されないようにしながら、オートパワーオフを行うように設定されていることを示すデータを外部装置２００に通知する。この場合、本フローチャートは、Ｓ２０７からＳ２０８に進む。
【００５１】
なお、ＣＰＵ１０１は、オートパワーオフ処理を行うように設定されていることを通知するために、オートパワーオフ処理を行うように設定されていることを示すコマンドを外部装置２００に送信するようにコマンド処理部１０３ｂを制御してもよい。オートパワーオフ処理を行うように設定されていることを示すコマンドは、例えば、ＣＥＣプロトコルに規定されている＜Ｓｅｔ  ＯＳＤ  Ｓｔｒｉｎｇ＞コマンドやベンダーコマンドである。
【００５２】
また、ＣＰＵ１０１は、オートパワーオフ処理を行うように設定されていることを通知するために、オートパワーオフ処理を行うように設定されていることを示すデータを外部装置２００に送信するようにデータ送信部１０３ａを制御してもよい。オートパワーオフ処理を行うように設定されていることを示すデータは、例えば、Ｖｅｎｄｏｒ  Ｓｐｅｃｉｆｉｃ  ＩｎｆｏＦｒａｍｅである。
【００５３】
さらに、ＣＰＵ１０１は、オートパワーオフ処理を行うように設定されていることを通知するために、オートパワーオフ処理を行うように設定されていることを示す映像データを表示部１０７に表示するように制御してもよい。
【００５４】
Ｓ２０８において、ＣＰＵ１０１は、操作部１０８を介してＣＰＵ１０１に操作信号が入力されたか否かを判定する。ＣＰＵ１０１によって、操作部１０８を介してＣＰＵ１０１に操作信号が入力されたと判定された場合（Ｓ２０８でＹｅｓ）、本フローチャートは、Ｓ２０８からＳ２１２に進む。ＣＰＵ１０１によって、操作部１０８を介してＣＰＵ１０１に操作信号が入力されていないと判定された場合（Ｓ２０８でＮｏ）、本フローチャートは、Ｓ２０８からＳ２０９に進む。
【００５５】
Ｓ２０９において、ＣＰＵ１０１は、タイマー１０１ａによって計測されている所定の時間が第２の時間Ｔ２以上であるか否かを判定する。第２の時間Ｔ２は、自動的に電子機器１００を電源オンモードからスタンバイモードに変更するように制御するために用いられる閾値である。第２の時間Ｔ２は、あらかじめ設定されているものであっても良いし、ユーザが操作部１０８を用いて設定することができるようなものであってもよい。なお、第２の時間Ｔ２は、第１の時間Ｔ１よりも長い時間であるものとする。また、第２の時間Ｔ２が第１の時間Ｔ１よりも長ければ長いほど、電子機器１００はスルー映像データの送信を継続して行うことができる。
【００５６】
ＣＰＵ１０１によって、所定の時間が第２の時間Ｔ２以上であると判定された場合（Ｓ２０９でＹｅｓ）、本フローチャートは、Ｓ２０９からＳ２１７に進む。ＣＰＵ１０１によって、所定の時間が第２の時間Ｔ２以上でないと判定された場合（Ｓ２０９でＮｏ）、本フローチャートは、Ｓ２０９からＳ２１０に進む。
【００５７】
Ｓ２１０において、ＣＰＵ１０１は、タイマー１０１ａによって計測されている所定の時間が第１の時間Ｔ１以上であるか否かを判定する。ＣＰＵ１０１によって、所定の時間が第１の時間Ｔ１以上であると判定された場合（Ｓ２１０でＹｅｓ）、本フローチャートは、Ｓ２１０からＳ２１１に進む。ＣＰＵ１０１によって、所定の時間が第１の時間Ｔ１以上でないと判定された場合（Ｓ２１０でＮｏ）、本フローチャートは、Ｓ２１０からＳ２１４に進む。
【００５８】
Ｓ２１１において、ＣＰＵ１０１は、警告データを通知する。警告データとは、電子機器１００がオートパワーオフ処理を開始するタイミングに達したが、電子機器１００がオートパワーオフ処理を行っていないことを示すデータである。また、警告データは、所定の時間が第１の時間Ｔ１に達したが、所定の時間が第２の時間Ｔ２に達するまでの間、電子機器１００がオートパワーオフ処理を行わないことを示すデータであってもよい。
【００５９】
ＣＰＵ１０１は、外部装置２００に送信されるスルー映像データに、警告データが重畳されないようにしながら、警告データを外部装置２００に通知する。この場合、本フローチャートは、Ｓ２１１からＳ２１４に進む。
【００６０】
なお、ＣＰＵ１０１は、警告データを通知するために、警告データを含むコマンドを外部装置２００に送信するようにコマンド処理部１０３ｂを制御してもよい。警告データを含むコマンドは、例えば、ＣＥＣプロトコルに規定されている＜Ｓｅｔ  ＯＳＤ  Ｓｔｒｉｎｇ＞コマンドやベンダーコマンドである。
【００６１】
また、ＣＰＵ１０１は、警告データを通知するために、警告データを外部装置２００に送信するようにデータ送信部１０３ａを制御してもよい。警告データは、例えば、Ｖｅｎｄｏｒ  Ｓｐｅｃｉｆｉｃ  ＩｎｆｏＦｒａｍｅである。
【００６２】
さらに、ＣＰＵ１０１は、警告データに対応する映像データを表示部１０７に表示するように制御してもよい。
【００６３】
Ｓ２１２において、ＣＰＵ１０１は、Ｓ２０２と同様に、タイマー１０１ａをリセットするための処理を行う。この場合、本フローチャートは、Ｓ２１２からＳ２１３に進む。
【００６４】
Ｓ２１３において、ＣＰＵ１０１は、Ｓ２０３と同様に、所定の時間を計測するようにタイマー１０１ａを制御する。この場合、本フローチャートは、Ｓ２１３からＳ２１４に進む。
【００６５】
Ｓ２１４において、ＣＰＵ１０１は、データ送信部１０３ａによるスルー映像データの送信が終了したか否かを判定する。ＣＰＵ１０１によって、データ送信部１０３ａによるスルー映像データの送信が終了していないと判定された場合（Ｓ２１４でＮｏ）、本フローチャートは、Ｓ２１４からＳ２０８に戻る。ＣＰＵ１０１によって、データ送信部１０３ａによるスルー映像データの送信が終了していると判定された場合（Ｓ２１４でＹｅｓ）、本フローチャートは、Ｓ２１４からＳ２０３に戻る。
【００６６】
Ｓ２１５において、ＣＰＵ１０１は、Ｓ２０４において、操作部１０８を介してＣＰＵ１０１に入力された操作信号が、電子機器１００をスタンバイモードに変更するための指示か否かを判定する。ＣＰＵ１０１によって、操作部１０８を介してＣＰＵ１０１に入力された操作信号が、電子機器１００をスタンバイモードに変更するための指示であると判定された場合（Ｓ２１５でＹｅｓ）、本フローチャートは、Ｓ２１５からＳ２１６に進む。ＣＰＵ１０１によって、操作部１０８を介してＣＰＵ１０１に入力された操作信号が、電子機器１００をスタンバイモードに変更するための指示でないと判定された場合（Ｓ２１５でＮｏ）、本フローチャートは、Ｓ２１５からＳ２０２に戻る。
【００６７】
Ｓ２１６において、ＣＰＵ１０１は、電子機器１００を電源オンモードからスタンバイモードに変更するための処理を行う。この場合、本フローチャートは、終了する。
【００６８】
Ｓ２１７において、ＣＰＵ１０１は、電子機器１００をスタンバイモードに変更することを通知する。ＣＰＵ１０１は、外部装置２００に送信されるスルー映像データに、電子機器１００をスタンバイモードに変更することを示すデータが重畳されないようにしながら、電子機器１００をスタンバイモードに変更することを示すデータを外部装置２００に通知する。この場合、本フローチャートは、Ｓ２１７からＳ２１６に進む。
【００６９】
なお、ＣＰＵ１０１は、電子機器１００をスタンバイモードに変更することを通知するために、電子機器１００をスタンバイモードに変更することを示すコマンドを外部装置２００に送信するようにコマンド処理部１０３ｂを制御してもよい。電子機器１００をスタンバイモードに変更することを示すコマンドは、例えば、ＣＥＣプロトコルに規定されている＜Ｒｅｐｏｒｔ  Ｐｏｗｅｒ  Ｓｔａｔｕｓ＞コマンド、＜Ｓｅｔ  ＯＳＤ  Ｓｔｒｉｎｇ＞コマンドやベンダーコマンドである。
【００７０】
また、ＣＰＵ１０１は、電子機器１００をスタンバイモードに変更することを通知するために、電子機器１００をスタンバイモードに変更することを示すデータを外部装置２００に送信するようにデータ送信部１０３ａを制御してもよい。電子機器１００をスタンバイモードに変更することを示すデータは、例えば、Ｖｅｎｄｏｒ  Ｓｐｅｃｉｆｉｃ  ＩｎｆｏＦｒａｍｅである。
【００７１】
さらに、ＣＰＵ１０１は、電子機器１００をスタンバイモードに変更することを通知するために、電子機器１００をスタンバイモードに変更することを示す映像データを表示部１０７に表示するように制御してもよい。
【００７２】
実施例１に係る電子機器１００は、外部装置２００にスルー映像データを送信しているか否かに応じて、電子機器１００を自動的にスタンバイモードに変更するための処理を制御するようにした。
【００７３】
これにより、電子機器１００がスルー映像データを外部装置２００に送信していない場合において、電子機器１００が操作されることなく第１の時間Ｔ１が経過した場合、電子機器１００を電源オンモードからスタンバイモードに変更するようにした。
【００７４】
また、電子機器１００がスルー映像データを外部装置２００に送信している場合において、電子機器１００が操作されることなく第２の時間Ｔ２が経過するまで、電子機器１００を電源オンモードからスタンバイモードに変更しないようにした。この場合、電子機器１００が操作されることなく第１の時間Ｔ１が経過した場合であっても、電子機器１００は、電源オンモードからスタンバイモードに変更されないので、継続して外部装置２００にスルー映像データを送信することができる。
【００７５】
さらに、電子機器１００がスルー映像データを外部装置２００に送信している場合に、電子機器１００が操作されることなく第１の時間Ｔ１が経過した場合、電子機器１００は、継続してスルー映像データの送信を行うことを通知する。このため、電子機器１００から外部装置２００にスルー映像データが送信されている場合であっても、ユーザは、電子機器１００のオートパワーオフ処理の設定を確認することができる。
【００７６】
したがって、実施例１に係る電子機器１００は、外部装置２００に映像データが送信されている場合、自動的に映像データの送信が停止されないようにすることができる。これにより、ユーザが電子機器１００から受信した映像データを外部装置２００によって視聴している場合、電子機器１００が自動的にスタンバイモードになることにより、映像データの視聴が中断されるような事態を回避することができる。
【００７７】
実施例１において、電子機器１００は、データ送信部１０３ａが外部にスルー映像データを送信している場合（Ｓ２０６でＹｅｓ）において、所定の時間が第２の時間Ｔ２以上である場合（Ｓ２０９でＹｅｓ）に、スタンバイモードに移行するようにした。しかし、これに限られないようにする。例えば、電子機器１００は、スルー映像データの送信が終了するまで（Ｓ２１４でＹｅｓ）、オートパワーオフ処理の設定を一時的に解除するようにしてもよい。このため、電子機器１００は、スルー映像データの送信を行っている間、自動的にスタンバイモードに移行しない。なお、この場合、電子機器１００は、スルー映像データの送信が終了した場合（Ｓ２１４でＹｅｓ）において、所定の時間が第１の時間Ｔ１以上であると判定された場合（Ｓ２０５でＹｅｓ）、スタンバイモードに移行するようにする。
【００７８】
また、実施例１において、電子機器１００は、スルー映像データを送信しているか否かに応じて、電子機器１００を自動的にスタンバイモードに変更するための処理を制御するようにした。しかし、スルー映像データを外部装置２００に送信する場合と同様に、電子機器１００は、映像データを送信しているか否かに応じて、電子機器１００を自動的にスタンバイモードに変更するための処理を制御するようにしてもよい。
【００７９】
［実施例２］
実施例２において、実施例１と共通する部分については、その説明を省略し、実施例１と異なる部分について説明する。
【００８０】
次に、実施例２において、電子機器１００によって行われる電源制御処理について、図３のフローチャートを用いて説明する。実施例２では、ＣＰＵ１０１が、メモリ１０２に格納されているコンピュータプログラムに従って、電源制御処理を制御する場合を説明する。なお、図３の電源制御処理におけるＳ３０１〜Ｓ３０５、Ｓ３０７〜Ｓ３１３及びＳ３１５〜Ｓ３１７は、図２の電源制御処理におけるＳ２０１〜Ｓ２０５、Ｓ２０７〜Ｓ２１３及びＳ２１５〜Ｓ２１７と同様の処理を行うため、説明を省略する。
【００８１】
ＣＰＵ１０１によって、所定の時間が第１の時間Ｔ１以上であると判定された場合（Ｓ３０５でＹｅｓ）、本フローチャートは、Ｓ３０５からＳ３０６に進む。
【００８２】
Ｓ３０６において、ＣＰＵ１０１は、データ送信部１０３ａによって外部装置２００に送信されている映像データが外部装置２００によって記録されているか否かを判定する。なお、データ送信部１０３ａによって外部装置２００に送信されている映像データは、スルー映像データであっても、記録媒体１０６ａから再生される映像データであっても、撮像部１０４及び画像処理部１０５によって生成される映像データであっても良い。ＣＰＵ１０１によって、データ送信部１０３ａによって外部装置２００に送信されている映像データが外部装置２００によって記録されていると判定された場合（Ｓ３０６でＹｅｓ）、本フローチャートは、Ｓ３０６からＳ３０７に進む。ＣＰＵ１０１によって、データ送信部１０３ａが外部装置２００に映像データを送信していないと判定された場合（Ｓ３０６でＮｏ）、本フローチャートは、Ｓ３０６からＳ３１６に進む。ＣＰＵ１０１によって、データ送信部１０３ａによって外部装置２００に送信されている映像データを外部装置２００が記録していないと判定された場合（Ｓ３０６でＮｏ）、本フローチャートは、Ｓ３０６からＳ３１６に進む。
【００８３】
Ｓ３１４において、ＣＰＵ１０１は、外部装置２００において、データ送信部１０３ａによって外部装置２００に送信されている映像データの記録が終了したか否かを判定する。ＣＰＵ１０１によって、外部装置２００において、データ送信部１０３ａによって外部装置２００に送信されている映像データの記録が終了していないと判定された場合（Ｓ３１４でＮｏ）、本フローチャートは、Ｓ３１４からＳ３０８に戻る。ＣＰＵ１０１によって、外部装置２００において、データ送信部１０３ａによって外部装置２００に送信されている映像データの記録が終了していると判定された場合（Ｓ３１４でＹｅｓ）、本フローチャートは、Ｓ３１４からＳ３０３に進む。
【００８４】
実施例２に係る電子機器１００は、実施例１と共通する処理や構成については、実施例１と同様の効果を有するものとする。
【００８５】
実施例２に係る電子機器１００は、外部装置２００が電子機器１００から受信した映像データを記録しているか否かに応じて、電子機器１００を自動的にスタンバイモードに変更するための処理を制御するようにした。
【００８６】
これにより、電子機器１００から受信した映像データが外部装置２００によって記録されていない場合において、電子機器１００が操作されることなく第１の時間Ｔ１が経過した場合、電子機器１００を電源オンモードからスタンバイモードに変更するようにした。
【００８７】
また、電子機器１００から受信した映像データが外部装置２００によって記録されている場合において、電子機器１００が操作されることなく第２の時間Ｔ２が経過するまで、電子機器１００を電源オンモードからスタンバイモードに変更しないようにした。この場合、電子機器１００が操作されることなく第１の時間Ｔ１が経過した場合でも、電子機器１００は、電源オンモードからスタンバイモードに変更されないので、継続して外部装置２００に電子機器１００から受信した映像データの記録を行わせることができる。
【００８８】
したがって、実施例２に係る電子機器１００は、外部装置２００において、電子機器１００から受信した映像データが記録されている場合、自動的に映像データの送信が停止されないようにすることができる。これにより、ユーザが電子機器１００から受信した映像データを外部装置２００によって記録している場合、電子機器１００が自動的にスタンバイモードになることにより、映像データの記録が中断されるような事態を回避することができる。
【００８９】
実施例２において、電子機器１００は、電子機器１００からの映像データを外部装置２００が記録している場合（Ｓ３０６でＹｅｓ）において、所定の時間が第２の時間Ｔ２以上である場合（Ｓ３０９でＹｅｓ）に、スタンバイモードに移行するようにした。しかし、これに限られないようにする。
【００９０】
例えば、電子機器１００は、外部装置１００による映像データの記録が終了するまで（Ｓ３１４でＹｅｓ）、オートパワーオフ処理の設定を一時的に解除するようにしてもよい。このため、電子機器１００は、外部装置２００が電子機器１００から受信した映像データの記録を行っている間、自動的にスタンバイモードに移行しない。なお、この場合、電子機器１００は、外部装置１００による映像データの記録が終了した場合（Ｓ３１４でＹｅｓ）において、所定の時間が第１の時間Ｔ１以上であると判定された場合（Ｓ３０５でＹｅｓ）、スタンバイモードに移行するようにする。
【００９１】
なお、電子機器１００、外部装置２００及び接続ケーブル３００は、ＨＤＭＩ規格と互換性のある規格に対応するものであってもよい。
【００９２】
なお、実施例１及び２において、電子機器１００、外部装置２００及び接続ケーブル３００は、ＤＶＩ（Ｄｉｇｉｔａｌ  Ｖｉｓｕａｌ  Ｉｎｔｅｒｆａｃｅ）（登録商標）規格に対応するものであってもよい。
【００９３】
また、実施例１及び２において、電子機器１００、外部装置２００及び接続ケーブル３００は、Ｄｉｓｐｌａｙ  Ｐｏｒｔ（登録商標）規格に対応するものであってもよい。
【００９４】
また、実施例１及び２において、電子機器１００、外部装置２００及び接続ケーブル３００は、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）に対応するものであってもよい。
【００９５】
また、実施例１及び２において、電子機器１００、外部装置２００及び接続ケーブル３００は、ＭＨＬ（Ｍｏｂｉｌｅ  Ｈｉｇｈ−ｄｅｆｉｎｉｔｉｏｎ  Ｌｉｎｋ）（登録商標）規格に対応するものであってもよい。
【００９６】
また、実施例１及び２において、電子機器１００によって生成される映像データは、無線により外部装置２００に送信されるようにしてもよい。
【００９７】
本発明に係る電子機器は、電子機器であって、外部装置に所定のデータを送信する送信手段と、前記電子機器に所定の指示を行うための指示手段と、前記所定の指示が入力されるまでに経過した所定の時間が第１の時間以上である場合、前記電子機器をスタンバイモードに変更する制御手段とを有し、前記所定のデータが前記外部装置に送信されている場合、前記制御手段は、前記所定の時間が前記第１の時間以上であっても、前記電子機器をスタンバイモードに変更しないことを特徴とする。また、本発明に係る電子機器は、前記所定のデータが前記外部装置に送信されている場合、前記所定の時間が第２の時間以上である場合、前記制御手段は前記電子機器をスタンバイモードに変更し、前記第２の時間は、前記第１の時間よりも長いことを特徴とする。
【００９８】
［他の実施例］
本発明に係る電子機器は、実施例１及び２で説明した電子機器に限定されるものではない。本発明に係る電子機器は、例えば、複数の装置から構成されるシステムにより実現することも可能である。
【００９９】
また、実施例１及び２において説明した処理、構成、機能及びシステムは、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。また、この場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【符号の説明】
【０１００】
１００  電子機器
２００  外部装置
【図１】
2013198096.tif 000003
【図２】
2013198096.tif 000004
【図３】
2013198096.tif 000005